(57)【要約】【課題】混在状態となったラインストーン等を容易に分別可能で、低コストにて供給し得るラインストーン等の粒状物用ケースを提供することを課題とする。【解決手段】複数種のサイズが存するラインストーン等の粒状物４を収納するためのケースであって、ケースは、容体１と、容体１に脱着可能に被着される蓋体２とから成り、蓋体２として、粒状物４の複数種のサイズのうちのいずれかのサイズに対応する小孔３を複数穿設したものを１又は複数含むことを特徴とするラインストーン等の粒状物用ケースで、蓋体２としては、小孔のサイズの異なるもの複数種と、小孔３を設けないものとが含まれ、選択的に交換使用可能にされることが好ましい。また、蓋体２は、スタッキング可能で、容体１内には、粒状物４の小孔３からの脱落を付勢する付勢ボール５を収納することが好ましい。【選択図】図１
0003150152.tif 000002
【実用新案登録請求の範囲】
【請求項１】
複数種のサイズが存するラインストーン等の粒状物を収納するためのケースであって、前記ケースは、容体と、前記容体に脱着可能に被着される蓋体とから成り、前記蓋体として、前記粒状物の複数種のサイズのうちのいずれかのサイズに対応する小孔を複数穿設したものを１又は複数含むことを特徴とするラインストーン等の粒状物用ケース。
【請求項２】
前記蓋体として、前記小孔のサイズの異なるもの複数種と、前記小孔を設けないものとが含まれ、選択的に交換使用可能にされた、請求項１に記載のラインストーン等の粒状物用ケース。
【請求項３】
前記蓋体は、スタッキング可能である、請求項２に記載のラインストーン等の粒状物用ケース。
【請求項４】
前記容体内に、前記粒状物の前記小孔からの脱落を付勢する、前記粒状物より大きく且つ重量のある付勢ボールを収納した、請求項１乃至３のいずれかに記載のラインストーン等の粒状物用ケース。
【考案の詳細な説明】
【技術分野】
【０００１】
本考案はラインストーン等の粒状物用ケース、より詳細には、種々の大きさのものがあって、大きさの異なるものが混在する可能性のあるラインストーンやビーズ等の粒状物を収納するケースであって、大きさの異なるものが混在したときに大きさごとに区分けすることが容易なラインストーン等の粒状物用ケースに関するものである。
【背景技術】
【０００２】
ラインストーンは、ファセット・カットされたガラスやプレスチックの裏面に金属を真空蒸着した模造ダイヤの一種で、衣服、携帯電話、ネイルアート等に用いられる装飾品である。特に近年、携帯電話をラインストーンで装飾するデコレーション携帯電話が流行している。そして近年、このラインストーンは容易に入手することができるようになり、専門家に頼むことなく、自分でラインストーンを用いて各種デコレーションを行う者も増加している。
【０００３】
このラインストーンには、例えば、粒径が１．９ｍｍ、２．３ｍｍ、２．７ｍｍ等のように種々の大きさのものがある。ラインストーンを用いたデコレーションは、これら種々の大きさのものを組み合わせて様々な模様等を表現するものである。このようにラインストーンには種々のサイズのものがあるため、一般にラインストーンは、その大きさごとに別のケースに入れて保管される。
【０００４】
一方で、これらの、大きさの異なるラインストーンは、見た目でその大きさの識別は可能であるものの、粒径が数ミリメートルのものが多いことから、ラインストーンを用いて各種デコレーション装飾をしている際に、大きさの異なるラインストーンが混在してしまうおそれがある。そして、それらが混在した場合に、大きさごとに分別し直す作業は、ピンセットを用いての細かな作業となり、非常に手間と時間がかかるものであるため、特に年配者にとっては困難な作業となる。
【０００５】
上記事態の発生はラインストーンに限られる訳ではなく、ビーズ等の小径物で、種々のサイズのものが存在する場合にも起こり得ることである。
【先行技術文献】
【特許文献】
【０００６】
【特許文献１】特開２００３−２２６３７８号公報
【特許文献２】特開２００２−３６２６５３号公報
【特許文献３】特開２０００−６２８６５号公報
【考案の開示】
【考案が解決しようとする課題】
【０００７】
上述のとおり、小径で大きさの異なるものが含まれるラインストーン等については、取り扱い時に混在する可能性があり、その混在状態から大きさごとに分別することは非常に手間と時間を要し、煩わしい作業となる。そこで、本考案は、かかる混在状態となったラインストーン等を容易に分別可能で、低コストにて供給し得るラインストーン等の粒状物用ケースを提供することを課題とする。
【課題を解決するための手段】
【０００８】
上記課題を解決するための請求項１に記載の考案は、複数種のサイズが存するラインストーン等の粒状物を収納するためのケースであって、前記ケースは、容体と、前記容体に脱着可能に被着される蓋体とから成り、前記蓋体として、前記粒状物の複数種のサイズのうちのいずれかのサイズに対応する小孔を複数穿設したものを１又は複数含むことを特徴とするラインストーン等の粒状物用ケースである。
【０００９】
前記蓋体に、前記小孔のサイズの異なるもの複数種と、前記小孔を設けないものとを含め、選択的に交換使用可能にされることが好ましい。また、前記蓋体は、スタッキング可能にすることができ、好ましくは、前記容体内に、前記粒状物の前記小孔からの脱落を付勢するための、前記粒状物より大きく且つ重量のある付勢ボールを収納することとする。
【考案の効果】
【００１０】
本考案は上述したとおりであって、本考案に係るラインストーン等の粒状物用ケースは、容体と、前記容体に脱着可能に被着される蓋体とから成っていて、前記蓋体として、前記粒状物の複数種のサイズのうちのいずれかのサイズに対応する小孔を複数穿設したものを含むものであるため、混在したサイズの異なる粒状物を容体に入れ、小孔を形成した蓋体を嵌め付けて逆さにして振ることにより、当該小孔に対応する粒状物を脱落させることができ、さらに必要に応じ、より大径の小孔を有する蓋体に交換して同様の操作をしていくことで、大きさの異なるラインストーン等の粒状物の分別を容易かつ迅速に行うことができる効果がある。
【００１１】
請求項３に記載の考案においては、複数種の蓋体の保管に便利なる効果があり、請求項４に記載の考案においては，ケース内に前記粒状物より大きく且つ重量のある付勢ボールを備えることにより、小孔からの粒状物の排出が促され、粒状物の分別を、より容易且つ迅速に行うことが可能となる効果がある。
【図面の簡単な説明】
【００１２】
【図１】本考案に係るラインストーン等の粒状物用ケースの構成を示す分解斜視図である。
【図２】本考案に係るラインストーン等の粒状物用ケースの使用状態を示す図である。
【図３】本考案に係るラインストーン等の粒状物用ケースにおけるスタッキング方法の例を示す要部の縦断面図である。
【考案を実施するための形態】
【００１３】
本考案を実施するための形態について、添付図面に依拠して説明する。本考案に係るラインストーン等の粒状物用ケースは、主に装飾用や手芸用等に用いられる、複数種のサイズのものを含むラインストーンやビーズ等の粒状物４ａ〜４ｃを収納するためのケースであって、サイズの異なる粒状物４ａ〜４ｃが混在してしまったときに、サイズごとに篩い分けをすることができるものである。
【００１４】
本ケースは、容体１と、容体１に、例えばねじ込み方式によって脱着可能に被着される蓋体２ａ〜２ｃとから成る。蓋体２ａ〜２ｃには、粒状物４ａ〜４ｃの複数種のサイズのうちのいずれかのサイズに対応する、即ち、当該粒状物４ａ〜４ｃが通り抜けることができる径の小孔３ａ〜３ｃが複数、適宜配置にて穿設される。
【００１５】
好ましくは、１つの容体１に対して、小孔３ａ〜３ｃのサイズの異なる蓋体２ａ〜２ｃを複数用意し、選択的に交換使用可能にする。更に、同様に容体１に脱着可能で、小孔３ａ〜３ｃを設けない蓋体２も含めることができる。この小孔３ａ〜３ｃを設けない蓋体２も含め、各蓋体２、２ａ〜２ｃは、スタッキング可能にすることができる。
【００１６】
このスタッキングは、各蓋体２ａ〜２ｃの頭部に段部６を設け、また、それぞれの内周面のねじ切り部下端に非ねじ切り部７を設け、この非ねじ切り部７に段部６を嵌めこむ、単なる嵌合方式であってもよいし（図３参照）、非ねじ切り部７と段部６に螺刻することによるねじ付け方式であってもよい。なお、スタッキングに際しては，小孔３ａ〜３ｃを設けない蓋体２を最上段に配する。
【００１７】
好ましい実施形態においては、容体１内に、粒状物４ａ〜４ｃが小孔３ａ〜３ｃから迅速且つ確実に脱落するように付勢するための、付勢ボール５が収納される。この付勢ボール５は、最大の粒状物４ｃよりも大きく、且つ、ある程度の重量のある球体、ないし、多面体である。
【００１８】
上記各構成部品の素材は、収納する粒状物４ａ〜４ｃを傷付けるおそれのないものであれば差支えなく、例えば、容体１と蓋体２ａ〜２ｃは透明ないし半透明のプラスチック製とされ、付勢ボール５は、アクリル又はガラス製とされる。
【００１９】
次いで、上記構成の本考案に係るラインストーン等の粒状物用ケースの使用方法について説明する。本ケースの収納対象であるラインストーン等は、一般に、サイズごとに別のケースに収納され、作業に際して所望のサイズのものを取り出すが、その際にサイズの異なるものが混在してしまうことがある。
【００２０】
その場合は、その混在した粒状物４ａ〜４ｃを１つの容体１に入れ、先ず、一番小径の小孔３ａを形成した蓋体２ａを嵌め付ける。その後逆さにして振ると、小孔３ａを通り抜けることができる粒状物４ａのみが脱落する。次に、二番目に小径の小孔３ｂを有する蓋体２ｂに交換し、同様に操作して小孔３ｂを通り抜けることができる粒状物４ｂを脱落させ、以後同様の操作を繰り返すことで、全ての粒状物４ａ〜４ｃを、短時間のうちに確実にサイズ別に分別することができる。
【００２１】
上記操作に際しては、同時に最大の粒状物４ｃよりも大きく、且つ、ある程度の重量のある付勢ボール５がランダムに動き回り、粒状物４ａ〜４ｃを押圧するので、粒状物４ａ〜４ｃが小孔３ａ〜３ｃに詰まったりするようなことはなく、各粒状物４ａ〜４ｃは、サイズ別にスムーズに脱落していく。
【００２２】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではなく、例えば、小孔を設けた蓋体の種類は図示した３通りに限られる訳ではなく、対象となる粒状物のサイズに応じて１つ又は２つになったり、３通り以上となることがあることは言うまでもない。
【符号の説明】
【００２３】
１    容体
２、２ａ、２ｂ、２ｃ    蓋体
３ａ、３ｂ、３ｃ    小孔
４ａ、４ｂ、４ｃ    粒状物
５    付勢ボール
６    段部
７    非ねじ切り部
【図１】
0003150152.tif 000003
【図２】
0003150152.tif 000004
【図３】
0003150152.tif 000005